(57)【要約】      （修正有）【課題】ゴルフ用品を良好な状態で保管することができ、車のトランク内にゴルフ用品を放置する悪習慣を断ち切るのにも資する屋外用ゴルフ用品収納庫を提供すること。【解決手段】前面に開口を有する箱型の収納庫本体１と、開口を開閉可能に覆う扉と、収納庫本体の天井部９を覆う屋根部１０と、収納庫本体内に配置され扉が開放されているときに開口より前方への移動が可能であるゴルフバッグ置台１４と、収納庫本体内に設けられゴルフバッグ置台をガイドするガイド１５とを備える。収納庫本体の左右側壁及び後壁並びに扉は、二つの壁材の間に断熱材が設けられた三層構造のパネルによって構成され、また、天井部を構成する内壁材と屋根部を構成する外壁材との間に断熱材が設けられ、さらに、屋根部の前部及び後部においてそれぞれ軒裏に換気孔が設けられ、屋根部内には各換気孔に連通する空気流路が設けられている。【選択図】図１
0003171116.tif 000002
【実用新案登録請求の範囲】
【請求項１】
前面に開口を有する箱型の収納庫本体と、前記開口を開閉可能に覆う扉と、前記収納庫本体の天井部を覆う屋根部と、前記収納庫本体内に配置され前記扉が開放されているときに前記開口より前方への移動が可能であるゴルフバッグ置台と、前記収納庫本体内に設けられ前記ゴルフバッグ置台をガイドするガイドとを備え、
前記収納庫本体の左右側壁及び後壁並びに前記扉は、二つの壁材の間に断熱材が設けられた三層構造のパネルによって構成され、
また、前記天井部を構成する内壁材と前記屋根部を構成する外壁材との間に断熱材が設けられ、
さらに、前記屋根部の前部及び後部においてそれぞれ軒裏に換気孔が設けられ、前記屋根部内には各換気孔に連通する空気流路が設けられていることを特徴とする屋外用ゴルフ用品収納庫。
【請求項２】
前記ガイドとして、前記ゴルフバッグ置台の被ガイド部が係合し、該被ガイド部を前後方向に案内する水平ガイドレールを備えた請求項１に記載の屋外用ゴルフ用品収納庫。
【請求項３】
前記ガイドとして、前記ゴルフバッグ置台の被ガイド部が係合し、該被ガイド部を前後方向に延びる鉛直面内において非水平方向に案内する非水平ガイドレールを備えた請求項１に記載の屋外用ゴルフ用品収納庫。
【請求項４】
前記天井部に自然換気用の換気栓を設け、該換気栓によって前記収納庫本体の内部空間と前記空気流路とを連通させてある請求項１〜３の何れか一項に記載の屋外用ゴルフ用品収納庫。
【考案の詳細な説明】
【技術分野】
【０００１】
この考案は、例えば、屋外に配置され、ゴルフ用品の収納に用いて好適な屋外用ゴルフ用品収納庫に関する。
【背景技術】
【０００２】
夏場の非常に高温となった車のトランク内にゴルフクラブその他のゴルフ用品を放置しておくと、クラブ各部（例えばヘッドとシャフトの繋ぎ部）で用いられている接着剤やゴム素材のグリップ、ボール等の劣化が早まり、ヘッド抜けやグリップの変形等の不具合を招来する上、カーボンシャフトが受ける熱影響は大きく、スチールシャフトの場合は防錆皮膜が劣化して腐食が発生する、と言われている。また、夏場に限らず、トランクにゴルフ用品が常時載ったままであると、車の振動によってもゴルフ用品の寿命が縮むのに加え、車の燃費が悪くなりタイヤが早く摩耗するという不都合も生じる。
【０００３】
そして、例えばゴルフクラブの取扱説明書では、ゴルフクラブを車のトランクの中に放置しないように促す注意喚起がなされている。
【先行技術文献】
【特許文献】
【０００４】
【特許文献１】実用新案登録第３００２３９９号公報
【特許文献２】実用新案登録第３００２７２９号公報
【特許文献３】特開平９−２８９９２９号公報
【考案の概要】
【考案が解決しようとする課題】
【０００５】
しかし、現実には、上記の注意喚起にも拘らず、ゴルフクラブ等のゴルフ用品をゴルフバッグに入れた状態で車のトランクに放置するのが習慣となっている人は多い。このような悪習慣の原因は、大きくて重いゴルフバッグを車のトランクから降ろして家の中にまで運び込むのに幾分の労力を要すると共に、家の中に運び込んだゴルフバッグは多少なりとも生活スペースを圧迫し、また、小さな子供のいる家庭にゴルフバッグを持ち込むと、そのゴルフバッグが倒れて子供がその下敷きになったり、子供がゴルフバッグからゴルフクラブを取り出して振り回したりする危険を伴う、といったことにあると考えられる。
【０００６】
特許文献１乃至３には、各種ゴルフ用品を一括収納可能とした家具が開示されているが、いずれの家具も、ゴルフ用品を体裁よく収納可能としたという程度のものであり、上記の悪習慣を断ち切る決定的な解決手段とはならない。
【０００７】
本考案は上述の事柄に留意してなされたもので、その目的は、ゴルフ用品を良好な状態で保管することができ、車のトランク内にゴルフ用品を放置する悪習慣を断ち切るのにも資する屋外用ゴルフ用品収納庫を提供することにある。
【課題を解決するための手段】
【０００８】
上記目的を達成するために、本考案に係る屋外用ゴルフ用品収納庫は、前面に開口を有する箱型の収納庫本体と、前記開口を開閉可能に覆う扉と、前記収納庫本体の天井部を覆う屋根部と、前記収納庫本体内に配置され前記扉が開放されているときに前記開口より前方への移動が可能であるゴルフバッグ置台と、前記収納庫本体内に設けられ前記ゴルフバッグ置台をガイドするガイドとを備え、前記収納庫本体の左右側壁及び後壁並びに前記扉は、二つの壁材の間に断熱材が設けられた三層構造のパネルによって構成され、また、前記天井部を構成する内壁材と前記屋根部を構成する外壁材との間に断熱材が設けられ、さらに、前記屋根部の前部及び後部においてそれぞれ軒裏に換気孔が設けられ、前記屋根部内には各換気孔に連通する空気流路が設けられていることを特徴としている（請求項１）。
【０００９】
前記屋外用ゴルフ用品収納庫が、前記ガイドとして、前記ゴルフバッグ置台の被ガイド部が係合し、該被ガイド部を前後方向に案内する水平ガイドレールを備えていてもよく（請求項２）、前記ガイドとして、前記ゴルフバッグ置台の被ガイド部が係合し、該被ガイド部を前後方向に延びる鉛直面内において非水平方向に案内する非水平ガイドレールを備えていてもよい（請求項３）。
【００１０】
前記屋外用ゴルフ用品収納庫において、前記天井部に自然換気用の換気栓を設け、該換気栓によって前記収納庫本体の内部空間と前記空気流路とを連通させてあってもよい（請求項４）。
【考案の効果】
【００１１】
請求項１〜４に係る考案では、ゴルフ用品を良好な状態で保管することができ、車のトランク内にゴルフ用品を放置する悪習慣を断ち切るのにも資する屋外用ゴルフ用品収納庫が得られる。
【００１２】
すなわち、請求項１〜４に係る考案の屋外用ゴルフ用品収納庫では、断熱構造により、屋外に置かれた本収納庫内は夏場であっても高温とならず、また、昼夜での内部温度差も小さく抑えることができ、ゴルフ用品の良好な保管を実現することができる。
【００１３】
加えて、請求項１〜４に係る考案の屋外用ゴルフ用品収納庫では、ゴルフバッグ置台が前後に移動することにより、ゴルフバッグを本収納庫に楽に出し入れすることができ、本収納庫を例えばガレージの近くに設置すれば、ゴルフバッグを担いでの移動も少なくて済み、身体への負担も大いに軽減することができ、上記悪習慣を断ち切るにも資する。
【００１４】
特に、請求項４に係る考案の屋外用ゴルフ用品収納庫では、換気栓によって除湿及び脱臭効果が向上すると共に、収納庫本体の内部の空気は高温になるほど換気栓から外部へと吐き出され易くなるため、収納庫本体の内部の高温化をより効果的に防止することができる。
【図面の簡単な説明】
【００１５】
【図１】本考案の一実施の形態に係る屋外用ゴルフ用品収納庫の構成を概略的に示す斜視図である。
【図２】（Ａ）は前記収納庫の構成を概略的に示す正面図、（Ｂ）及び（Ｃ）は、前記収納庫のゴルフバッグ置台が収納されている状態及び前方に引き出された状態を概略的に示す説明図である。
【図３】前記収納庫の構成を概略的に示す説明図である。
【図４】前記収納庫の第一の変形例の要部の構成を概略的に示す斜視図及び説明図である。
【図５】図４に示す収納庫の要部の構成を概略的に示す縦断面図である。
【図６】前記収納庫の第二の変形例の要部の構成を概略的に示す斜視図及び説明図である。
【図７】前記収納庫の第三の変形例の要部の構成を概略的に示す説明図である。
【図８】前記収納庫の第四の変形例の構成を概略的に示す斜視図である。
【考案を実施するための形態】
【００１６】
本考案の実施の形態について図面を参照しながら以下に説明する。
【００１７】
まず、本実施の形態に係る屋外用ゴルフ用品収納庫（以下、本収納庫と略称する）は、ゴルフ用品を屋外にて収納するためのものであり、前面に開口１ａ（図２（Ｃ）参照）を有する縦長で箱型の収納庫本体１を備え、開口１ａは扉２によって開閉可能に覆われる（図１〜図３参照）。
【００１８】
図１に示すように、箱型の収納庫本体１内のスペースのうち、下部から中央部までのスペース（上部を除いたスペース）は、二つのゴルフバッグ（キャディバッグ）Ｂを左右に並べて収納することのできるバッグ収納用スペースとなる。また、収納庫本体１内の上部スペースは、箱入りゴルフボールや手袋、靴等を収納することのできる小物収納用スペースとなるように、仕切り板３によって左右に仕切られ、仕切り板３の左右両側にはそれぞれ棚４が単数または複数配置される。尚、棚４の設置枚数や固定位置をある程度自由に変更できるようにしておけばより利便性に優れた収納が可能となる。
【００１９】
扉２は、右扉５が開いた状態のときにのみ左扉６を開けることのできる観音扉であり、右扉５の外面には外把手５ａ及び鍵穴５ｂ（図２（Ａ）参照）、内面には鏡５ｃ及び小物入れ５ｄ（図１参照）が設けられる。尚、鍵穴５ｂは図示していない鍵を用いて施錠するためのものであり、その施錠構造としては公知の構成を採用可能である。また、左扉６の内面には内把手６ａ、練習用パター類の保持具６ｂ及びその受け台６ｃ、傘等の長尺物の保持具６ｄ及びその受け台６ｅ、帽子用フック６ｆが設けられる（図１参照）。
【００２０】
そして、本収納庫は断熱構造を備えている。すなわち、図３に示すように、収納庫本体１の後壁は、二つの壁材（例えばカラー鋼板）７の間に断熱材（例えばウレタンフォーム）８が設けられた三層構造のパネルによって構成され、収納庫本体１の左右側壁及び扉２も同様に構成されている。また、収納庫本体１の天井部９を構成する内壁材（例えばカラー鋼板）と、この天井部９を覆う屋根部１０を構成する外壁材（例えばカラー鋼板）との間にも断熱材８が設けられるのであり、本例では、天井部９を構成する内壁材の外側に断熱材８が積層されている。尚、底部１１は床材（例えばカラー鋼板）及び床材を傷つけないための保護材からなる。
【００２１】
さらに、屋根部１０の前部及び後部においてそれぞれ軒裏に換気孔１２が設けられ、屋根部１０内には各換気孔１２に連通する空気流路１３が設けられている。
【００２２】
従って、上記断熱構造により、屋外に置かれた本収納庫内は夏場であっても高温とならず、また、昼夜での本収納庫の内部温度差も小さく抑えることができ、ゴルフ用品の良好な保管を実現することができる。
【００２３】
本収納庫はまた、図１に示すように、右側のゴルフバッグＢを手前に簡単に引き出せるように構成されている。すなわち、本収納庫は、図１、図２（Ｂ）及び（Ｃ）に示すように、収納庫本体１内に配置され扉２（右扉５）が開放されているときに開口１ａより前方への移動が可能であるゴルフバッグ置台１４と、収納庫本体１内に設けられゴルフバッグ置台１４をガイドするガイド１５とを備えている。
【００２４】
ゴルフバッグ置台１４は、その上に載置されたゴルフバッグＢが左右に倒れないようにするための支持枠１４ａ、１４ｂを左右に有している。
【００２５】
ガイド１５は、収納庫本体１の底部１１の中央において前後に延びる水平ガイドレールであり、ゴルフバッグ置台１４の被ガイド部１４ｃが係合し、被ガイド部１４ｃを前後方向に案内するように構成されている。尚、斯かるガイド１５によるガイド機構には公知の構成を採用可能であり、そのより詳細な説明については省略する。
【００２６】
上記ゴルフバッグ置台１４とガイド１５によるスライド機構によって、ゴルフバッグＢを本収納庫に楽に出し入れすることができ、本収納庫を例えばガレージの近くに設置すれば、ゴルフバッグＢを担いでの移動も少なくて済み、身体への負担も大いに軽減することができ、上記悪習慣を断ち切るにも資する。
【００２７】
なお、本考案は、上記の実施の形態に何ら限定されず、本考案の要旨を逸脱しない範囲において種々に変形して実施し得ることは勿論である。例えば、以下のような変形例を挙げることができる。
【００２８】
扉２は、右から先に開けるタイプの観音扉に限らず、左右対称の観音扉等とすることもできる。
【００２９】
鏡５ｃ（図１参照）を全身鏡とすれば、その前でフォームのチェックをしながら素振りをするといったことを効果的に行うことが可能となる。この場合、鏡５ｃのスペースを確保するために、例えば小物入れ５ｄ（図１参照）は、他の位置に移すか設けないようにしてもよい。
【００３０】
図１、図２（Ｂ）及び（Ｃ）に示す例では、ゴルフバッグ置台１４を本収納庫の右側に一つのみ設けてあるが、左側に設けてもよく、左右に一つずつ設けるようにしてもよい。
【００３１】
ゴルフバッグＢを本収納庫に対して楽に出し入れするための機構は、ゴルフバッグ置台１４及びガイド１５によるスライド機構に限らず、種々のものを採用可能である。
【００３２】
例えば、図４及び図５に示すゴルフバッグ置台１６とガイド１７とを備えるようにしてもよい。すなわち、ゴルフバッグ置台１６は、縦断面が略Ｌ字状のボードからなる本体１６ａの左右の上部と下部に車輪状の被ガイド部１８，１９をそれぞれ設けたものである。また、ガイド１７は、図５に示すように、上部の被ガイド部１８が係合し、被ガイド部１８を上下方向（前後方向に延びる鉛直面内において非水平方向）に案内する非水平ガイドレール１７ａと、下部の被ガイド部１９が係合し、被ガイド部１９を前後方向に案内する水平ガイドレール１７ｂとを、収納庫本体１の内壁に固定した状態で備えている。従って、ゴルフバッグ置台１６は、図４（Ｂ）に示すように、前方に引き出したときに下部が持ち上がるように傾斜することになる。尚、１６ｂは、ゴルフバッグ置台１６を動かすときに掴むハンドル部である。
【００３３】
また、ゴルフバッグ置台１６の背面側に、収納された状態のゴルフバッグ置台１６を前方に移動するように付勢する付勢手段２０を設けると共に、収納された状態のゴルフバッグ置台１６の前方への移動を規制するストッパ２１を設け、ストッパ２１による規制を解除するとゴルフバッグ置台１６が付勢手段２０の付勢によって自動的に前方に引き出されるようにしてもよい。尚、斯かる付勢手段２０やストッパ２１の構成は公知のものを採用可能であるので、その詳細な説明は省略する。
【００３４】
他の例として、図６（Ａ）及び（Ｂ）に示すようなゴルフバッグ置台２２とガイド２３とを備えるようにしてもよい。すなわち、ゴルフバッグ置台２２は、三つの枠部材２４を二つの板部材２５に取り付けてなる本体２２ａを備え、左右の枠部材２４の上部と下部に車輪状の被ガイド部１８，１９をそれぞれ設けたものである。また、ガイド２３は、図５に示すガイド１７と同一の部材によって構成することができるが、非水平ガイド１７ａを図５に示す位置から前方に移し、かつ若干傾斜させる必要がある（図６（Ａ）参照）。尚、付勢手段２０及びストッパ２１は、図４及び図５に示した例と同様に備えることができる。
【００３５】
さらに他の例として、図７に示すようなゴルフバッグ置台２６とガイド２７とを備えるようにしてもよい。すなわち、ゴルフバッグ置台２６は、収納された状態で略水平に延びる板状の本体２６ａを備え、本体２６ａの左右の後部及び前部に車輪状の被ガイド部１８、１９をそれぞれ設けたものである。また、ガイド２７は、図７に示すように、後部の被ガイド部１８が係合し、被ガイド部１８を前方に移動するに伴って上昇するように前後方向（前後方向に延びる鉛直面内において非水平方向）に案内する非水平ガイドレール２７ａと、前部の被ガイド部１９が係合し、被ガイド部１９を前後方向に案内する水平ガイドレール２７ｂとを、収納庫本体１の内壁に固定した状態で備えている。従って、ゴルフバッグ置台２６は、図７に示すように、前方に引き出したときに後部が持ち上がるように傾斜することになる。
【００３６】
以上、図４乃至図７には、ゴルフバッグ置台１４及びガイド１５の変形例を示したが、これら以外に、例えば、ゴルフバッグ置台の本体を、前部が持ち上がる状態と後部が持ち上がる状態との両方の姿勢をとることができるように構成してもよい。また、ゴルフバッグ置台を移動させるための機構も種々に変更可能であり、例えば、ゴルフバッグ置台がキャスターを備え、そのキャスターによって前後に移動可能となっていてもよく、この場合、水平ガイドレールを省略することができる。
【００３７】
収納庫本体１の上部の構成も種々に変更可能であり、例えば、図４（Ａ）に示すように、仕切り板３及び棚４に代えて筒状の部材２８を設けるようにしてもよく、また、図６（Ａ）に示すように、収納庫本体１の上部の内壁面をパンチングメタルによって形成し、その穴にフック２９、棚部材３０、ケース部材３１等を係止するように構成してもよい。
【００３８】
さらに、図８に示すように、収納庫本体１の天井部９に自然換気用の換気栓３２を設け、収納庫本体１の内部空間と空気流路１３とが連通するように構成してもよい。この場合、換気栓３２によって除湿及び脱臭効果が向上すると共に、収納庫本体１の内部の空気は高温になるほど換気栓３２から外部へと吐き出され易くなるため、収納庫本体１の内部の高温化をより効果的に防止することができる。尚、換気栓３２は、例えばレバー操作により換気口が開閉するように構成されていてもよい。
【００３９】
また、屋根部１０の前部及び後部におけるそれぞれの軒裏に換気栓３２を設置し、各換気栓３２によって上述した換気孔１２が構成されるようにしてもよい。このような換気栓３２の構成としては、例えば、特許第２８５７７４０号公報に記載されている換気栓の構成を採用することができる。
【００４０】
なお、上記変形例どうしを適宜組み合わせてもよいことはいうまでもない。また、本考案の屋外用ゴルフ用品収納庫に、ゴルフ用品以外の物品を収納してもよい。
【符号の説明】
【００４１】
１    収納庫本体
１ａ  開口
２    扉
７    壁材
８    断熱材
９    天井部
１０    屋根部
１２    換気孔
１３    空気流路
１４    ゴルフバッグ置台
１５    ガイド
Ｂ    ゴルフバッグ
【図１】
0003171116.tif 000003
【図２】
0003171116.tif 000004
【図３】
0003171116.tif 000005
【図４】
0003171116.tif 000006
【図５】
0003171116.tif 000007
【図６】
0003171116.tif 000008
【図７】
0003171116.tif 000009
【図８】
0003171116.tif 000010